(57)【要約】【課題】カムコーダが撮像した映像信号をＳＤとＨＤのように解像度の異なったいずれかの規格で記録する場合に、不用意な切替操作が行われるのを防止できるようにする。【解決手段】記録媒体の取り出しを行った後、高画質のハイビジョンモードに撮像装置の動作を切り替えることで、その後ブランクディスクが装着された場合にハイビジョンモードでの記録が優先される。そのため、ユーザがモード切替を意識して行う必要を無くすことができるようにする。【選択図】  図２
2008160188.tif 000002
【特許請求の範囲】
【請求項１】
撮像手段で生成された映像信号を記録媒体に記録する記録モードとして、高精細画像信号を記録するＨＤ記録モードと標準解像度画像信号を記録するＳＤ記録モードとを備える撮像装置であって、
前記記録媒体が取り出された場合に、前記映像信号を前記記録媒体に記録する記録モードを前記ＨＤ記録モードに設定するＨＤモード設定手段を備えることを特徴とする撮像装置。
【請求項２】
映像を撮像する撮像手段と、前記撮像手段で撮像された映像から映像信号を生成する映像信号生成手段と、前記映像信号生成手段により生成された映像信号を記録する記録媒体と、前記記録媒体に前記映像信号を記録する記録手段と、前記記録媒体の装着状態を取得する状態取得手段とを備えた撮像装置であって、
前記映像信号生成手段は、解像度の異なる複数の映像信号を生成可能であって、前記状態取得手段により記録媒体が取り外されたことが検出された場合、あるいは記録媒体が装着されていないことが検出された場合には、最大の解像度の映像信号を生成する状態とすることを特徴とする撮像装置。
【請求項３】
前記記録媒体は光学ディスクであり、前記光学ディスクを記録フォーマットに従って初期化する初期化手段を備え、
前記初期化手段は、ブランクディスクが装着された場合には、最大の解像度の映像信号を記録するための記録フォーマットで前記光学ディスクの初期化を行うことを特徴とする請求項２に記載の撮像装置。
【請求項４】
映像を撮像する撮像手段と、前記撮像手段で撮像された映像から映像信号を生成する複数の映像信号生成手段と、前記複数の映像信号生成手段のうちから一つの映像信号生成手段を選択する選択手段と、前記複数の映像信号生成手段により生成された映像信号を記録する記録媒体と、前記選択手段で選択された映像信号生成手段が生成した映像信号を前記記録媒体に記録する記録手段と、前記記録媒体の装着状態を取得する状態取得手段とを備えた撮像装置であって、
前記複数の映像信号生成手段は、解像度の異なる複数の映像信号を出力可能であって、
前記状態取得手段により記録媒体が取り外されたことが検出された場合、あるいは記録媒体が装着されていないことが検出された場合に、前記選択手段は最大の解像度の映像信号を生成する映像信号生成手段を選択することを特徴とする撮像装置。
【請求項５】
映像を撮像する撮像手段と、前記撮像手段で撮像された映像から映像信号を生成する映像信号生成手段と、前記映像信号生成手段により生成された映像信号を圧縮する映像圧縮手段と、前記映像圧縮手段により圧縮された映像信号を記録する記録媒体と、前記映像圧縮手段により圧縮された映像信号を前記記録媒体に記録する記録手段と、前記記録媒体の装着状態を取得する状態取得手段とを備えた撮像装置であって、
前記映像圧縮手段は、解像度の異なる複数の圧縮された映像信号を出力可能であって、前記状態取得手段から記録媒体が取り外されたこと、あるいは記録媒体が装着されていないことが検出された場合には、最大の解像度の映像信号を出力することを特徴とする撮像装置。
【請求項６】
映像を撮像する撮像手段と、前記撮像手段で撮像された映像から映像信号を生成する映像信号生成手段と、前記映像信号を異なるフォーマットで圧縮する複数の映像圧縮手段と、前記複数の映像圧縮手段のうちから一つの映像圧縮手段を選択する選択手段と、前記複数の映像圧縮手段により圧縮された映像信号を記録する記録媒体と、前記選択手段で選択された映像圧縮手段から出力された映像信号を前記記録媒体に記録する記録手段と、前記記録媒体の装着状態を取得する状態取得手段とを備えた撮像装置であって、
前記複数の映像圧縮手段は、解像度の異なる複数の映像信号を出力可能であって、
前記選択手段は、前記状態取得手段から記録媒体が取り外されたこと、あるいは記録媒体が装着されていないことが検出された場合には、最大の解像度の映像信号を出力する映像圧縮手段を選択することを特徴とする撮像装置。
【請求項７】
撮像手段で生成された映像信号を記録媒体に記録する記録モードとして、高精細画像信号を記録するＨＤ記録モードと標準解像度画像信号を記録するＳＤ記録モードとを備える撮像装置の制御方法であって、
前記記録媒体が取り出された場合に、前記映像信号を前記記録媒体に記録する記録モードを前記ＨＤ記録モードに設定するＨＤモード設定工程を備えることを特徴とする撮像装置の制御方法。
【請求項８】
映像を撮像する撮像工程と、前記撮像工程において撮像された映像から映像信号を生成する映像信号生成工程と、前記映像信号生成工程において生成された映像信号を記録する記録媒体と、前記記録媒体に前記映像信号を記録する記録工程と、前記記録媒体の装着状態を取得する状態取得工程とを備えた撮像装置の制御方法であって、
前記映像信号生成工程は、解像度の異なる複数の映像信号を生成可能であって、前記状態取得工程において記録媒体が取り外されたことが検出された場合、あるいは記録媒体が装着されていないことが検出された場合には、最大の解像度の映像信号を生成する状態とすることを特徴とする撮像装置の制御方法。
【請求項９】
前記記録媒体は光学ディスクであり、前記光学ディスクを記録フォーマットに従って初期化する初期化工程を備え、
前記初期化工程は、ブランクディスクが装着された場合には、最大の解像度の映像信号を記録するための記録フォーマットで前記光学ディスクの初期化を行うことを特徴とする請求項８に記載の撮像装置の制御方法。
【請求項１０】
映像を撮像する撮像工程と、前記撮像工程において撮像された映像から映像信号を生成する複数の映像信号生成工程と、前記複数の映像信号生成工程のうちから一つの映像信号生成工程を選択する選択工程と、前記複数の映像信号生成工程において生成された映像信号を記録する記録媒体と、前記選択工程で選択された映像信号生成工程において生成した映像信号を前記記録媒体に記録する記録工程と、前記記録媒体の装着状態を取得する状態取得工程とを備えた撮像装置の制御方法であって、
前記複数の映像信号生成工程は、解像度の異なる複数の映像信号を出力可能であって、
前記状態取得工程において記録媒体が取り外されたことが検出された場合、あるいは記録媒体が装着されていないことが検出された場合に、前記選択工程は最大の解像度の映像信号を生成する映像信号生成工程を選択することを特徴とする撮像装置の制御方法。
【請求項１１】
映像を撮像する撮像工程と、前記撮像工程において撮像された映像から映像信号を生成する映像信号生成工程と、前記映像信号生成工程において生成された映像信号を圧縮する映像圧縮工程と、前記映像圧縮工程において圧縮された映像信号を記録する記録媒体と、前記映像圧縮工程において圧縮された映像信号を前記記録媒体に記録する記録工程と、前記記録媒体の装着状態を取得する状態取得工程とを備えた撮像装置の制御方法であって、
前記映像圧縮工程は、解像度の異なる複数の圧縮された映像信号を出力可能であって、前記状態取得工程において記録媒体が取り外されたこと、あるいは記録媒体が装着されていないことが検出された場合には、最大の解像度の映像信号を出力することを特徴とする撮像装置の制御方法。
【請求項１２】
映像を撮像する撮像工程と、前記撮像工程において撮像された映像から映像信号を生成する映像信号生成工程と、前記映像信号を異なるフォーマットで圧縮する複数の映像圧縮工程と、前記複数の映像圧縮工程のうちから一つの映像圧縮工程を選択する選択工程と、前記複数の映像圧縮工程において圧縮された映像信号を記録する記録媒体と、前記選択工程で選択された映像圧縮工程から出力された映像信号を前記記録媒体に記録する記録工程と、前記記録媒体の装着状態を取得する状態取得工程とを備えた撮像装置の制御方法であって、
前記複数の映像圧縮工程は、解像度の異なる複数の映像信号を出力可能であって、
前記選択工程は、前記状態取得工程において記録媒体が取り外されたこと、あるいは記録媒体が装着されていないことが検出された場合には、最大の解像度の映像信号を出力する映像圧縮工程を選択することを特徴とする撮像装置の制御方法。
【請求項１３】
撮像手段で生成された映像信号を記録媒体に記録する記録モードとして、高精細画像信号を記録するＨＤ記録モードと標準解像度画像信号を記録するＳＤ記録モードとを備える撮像装置における制御工程をコンピュータに実行させるプログラムであって、
前記記録媒体が取り出された場合に、前記映像信号を前記記録媒体に記録する記録モードを前記ＨＤ記録モードに設定するＨＤモード設定工程をコンピュータに実行させることを特徴とするプログラム。
【請求項１４】
映像を撮像する撮像工程と、前記撮像工程において撮像された映像から映像信号を生成する映像信号生成工程と、前記映像信号生成工程において生成された映像信号を記録する記録媒体と、前記記録媒体に前記映像信号を記録する記録工程と、前記記録媒体の装着状態を取得する状態取得工程とをコンピュータに実行させるプログラムであって、
前記映像信号生成工程は、解像度の異なる複数の映像信号を生成可能であって、前記状態取得工程において記録媒体が取り外されたことが検出された場合、あるいは記録媒体が装着されていないことが検出された場合には、最大の解像度の映像信号を生成する状態とする工程をコンピュータに実行させることを特徴とするプログラム。
【請求項１５】
映像を撮像する撮像工程と、前記撮像工程において撮像された映像から映像信号を生成する複数の映像信号生成工程と、前記複数の映像信号生成工程のうちから一つの映像信号生成工程を選択する選択工程と、前記複数の映像信号生成工程において生成された映像信号を記録する記録媒体と、前記選択工程で選択された映像信号生成工程において生成した映像信号を前記記録媒体に記録する記録工程と、前記記録媒体の装着状態を取得する状態取得工程とをコンピュータに実行させるプログラムであって、
前記複数の映像信号生成工程は、解像度の異なる複数の映像信号を出力可能であって、
前記状態取得工程において記録媒体が取り外されたことが検出された場合、あるいは記録媒体が装着されていないことが検出された場合に、前記選択工程は最大の解像度の映像信号を生成する映像信号生成工程を選択する工程をコンピュータに実行させることを特徴とするプログラム。
【請求項１６】
映像を撮像する撮像工程と、前記撮像工程において撮像された映像から映像信号を生成する映像信号生成工程と、前記映像信号生成工程において生成された映像信号を圧縮する映像圧縮工程と、前記映像圧縮工程において圧縮された映像信号を記録する記録媒体と、前記映像圧縮工程において圧縮された映像信号を前記記録媒体に記録する記録工程と、前記記録媒体の装着状態を取得する状態取得工程とをコンピュータに実行させるプログラムであって、
前記映像圧縮工程は、解像度の異なる複数の圧縮された映像信号を出力可能であって、前記状態取得工程において記録媒体が取り外されたこと、あるいは記録媒体が装着されていないことが検出された場合には、最大の解像度の映像信号を出力する工程をコンピュータに実行させることを特徴とするプログラム。
【請求項１７】
映像を撮像する撮像工程と、前記撮像工程において撮像された映像から映像信号を生成する映像信号生成工程と、前記映像信号を異なるフォーマットで圧縮する複数の映像圧縮工程と、前記複数の映像圧縮工程のうちから一つの映像圧縮工程を選択する選択工程と、前記複数の映像圧縮工程において圧縮された映像信号を記録する記録媒体と、前記選択工程で選択された映像圧縮工程から出力された映像信号を前記記録媒体に記録する記録工程と、前記記録媒体の装着状態を取得する状態取得工程とをコンピュータに実行させるプログラムであって、
前記複数の映像圧縮工程は、解像度の異なる複数の映像信号を出力可能であって、
前記選択工程は、前記状態取得工程において記録媒体が取り外されたこと、あるいは記録媒体が装着されていないことが検出された場合には、最大の解像度の映像信号を出力する映像圧縮工程を選択する工程とをコンピュータに実行させることを特徴とするプログラム。
【請求項１８】
請求項１３〜１７の何れか１項に記載のプログラムを記憶したことを特徴とするコンピュータ読み取り可能な記憶媒体。
【発明の詳細な説明】
【技術分野】
【０００１】
本発明は撮像装置及び撮像装置の制御方法に関し、例えば、光学ディスクをはじめとするフォーマットを必要とする記録媒体に対して映像、音声を記録する撮像装置に用いて好適な技術に関する。
【背景技術】
【０００２】
従来、映像と音声を記録するカムコーダの記録媒体として、光学ディスク（ディスク）を利用したビデオカムコーダ（以下、ディスクカムコーダ）が知られている。こうしたディスクカムコーダでは、物理フォーマットの違いを検出し、その種類に応じて異なる記録方式で記録するためのディスクフォーマット処理を行う技術がある（例えば、特許文献１を参照）。
【０００３】
ディスクカムコーダのディスクとしては、ＤＶＤ−Ｒ、ＤＶＤ−ＲＷなど様々な種類がある。例えば、ＤＶＤ−Ｒではディスクフォーマットとしてビデオフォーマット（以下、Ｖｉｄｅｏフォーマット）、ＤＶＤ−ＲＷであれば、Ｖｉｄｅｏフォーマットもしくはビデオレコーディングフォーマット（以下、ＶＲフォーマット）を選択可能である。
【０００４】
また、ディスクへ記録する際には、記録データをファイルとして扱うため、ファイルシステムが必要であり、フォーマットの際はファイルフォーマット処理も必要となる。光学ディスクは、ＵＤＦ（Universal Disk Format）形式のファイルシステムを採用しており、ＤＶＤ−Ｒ、ＤＶＤ−ＲＷはＵＤＦ２．０に対応している。
【０００５】
このように、ディスクカムコーダでは、映像や音声をメディアへ記録する前に、ディスクフォーマット処理とファイルフォーマット処理をあらかじめ行って、ディスクへのデータ書き込みを可能にしておく必要がある。
【０００６】
また、近年、アナログテレビ放送に代わる、デジタル放送が開始された。デジタル放送では、従来の標準解像度（ＳＤ）の画像だけでなく、高精細（ＨＤ）画像の番組が放送される。そのため、この様なＨＤ画像を表示可能な高精細ＴＶ受信機が登場し、一般家庭に迅速に普及し始めている。
【０００７】
【特許文献１】特開２００３−７８８７４号公報
【発明の開示】
【発明が解決しようとする課題】
【０００８】
前述のように、ＨＤ画像を表示可能なＴＶが普及した結果、テレビ放送だけでなく、ビデオカメラでＨＤ画像が撮影できることが望まれている。
ＨＤ画像を前述の如きディスクメディアに記録する場合、ディスクカムコーダでは携帯性の良さや本体のさらなる小型化を考慮すると、従来の８ｃｍサイズのディスクより大きなサイズのディスクの利用は難しい。
【０００９】
そのため、例えばＭＰＥＧ４−ＡＶＣ（Ｈ．２６４）規格のように、圧縮効率の高いコーデックを使い、ＨＤ画像を記録する為のＡＶＣＨＤ規格が提案された。これにより、データ量の増大を抑えること、及び従来サイズの記憶容量の小さいディスクにＨＤ映像を記録できるようにすることの両方を可能にしている。
【００１０】
しかしながら、前述したＡＶＣＨＤ規格によるディスクフォーマット及びファイルフォーマットは、従来のＤＶＤと互換性がなかった。このため、一枚のディスクにＨＤ画像とＳＤ画像を混在させて記録することができなかった。
また、現在では、ＤＶＤビデオプレーヤが広く普及しており、ビデオカメラでは、ＨＤ画像だけでなく、ＳＤ画像も撮影できることが望ましい。
したがって、ブランクディスクを装着した場合、フォーマット実行時にＨＤ画像もしくはＳＤ画像のいずれの画像を記録するかをユーザが選択する必要がある。
【００１１】
その際に、ユーザが選択した記録方式が現時点の記録方式と異なる場合は、選択された記録方式へ切り替えるための切替処理が発生する。前記のように切替処理が発生すると、その処理が終了するまでは記録を開始することができないので、速やかな記録を行う際の妨げになってしまう問題点があった。
本発明は以上のことを鑑みてなされたものであって、カムコーダが撮像した映像信号をＳＤ記録とＨＤ記録のように、解像度の異なったいずれかの規格で記録する場合に、不用意な切替操作が行われるのを防止できるようにすることを目的としている。
【課題を解決するための手段】
【００１２】
本発明の撮像装置は、撮像手段で生成された映像信号を記録媒体に記録する記録モードとして、高精細画像信号を記録するＨＤ記録モードと標準解像度画像信号を記録するＳＤ記録モードとを備える撮像装置であって、前記記録媒体が取り出された場合に、前記映像信号を前記記録媒体に記録する記録モードを前記ＨＤ記録モードに設定するＨＤモード設定手段を備えることを特徴とする。
また、本発明の撮像装置の他の特徴とするところは、映像を撮像する撮像手段と、前記撮像手段で撮像された映像から映像信号を生成する映像信号生成手段と、前記映像信号生成手段により生成された映像信号を記録する記録媒体と、前記記録媒体に前記映像信号を記録する記録手段と、前記記録媒体の装着状態を取得する状態取得手段とを備えた撮像装置であって、前記映像信号生成手段は、解像度の異なる複数の映像信号を生成可能であって、前記状態取得手段により記録媒体が取り外されたことが検出された場合、あるいは記録媒体が装着されていないことが検出された場合には、最大の解像度の映像信号を生成する状態とすることを特徴とする。
また、本発明の撮像装置のその他の特徴とするところは、映像を撮像する撮像手段と、前記撮像手段で撮像された映像から映像信号を生成する複数の映像信号生成手段と、前記複数の映像信号生成手段のうちから一つの映像信号生成手段を選択する選択手段と、前記複数の映像信号生成手段により生成された映像信号を記録する記録媒体と、前記選択手段で選択された映像信号生成手段が生成した映像信号を前記記録媒体に記録する記録手段と、前記記録媒体の装着状態を取得する状態取得手段とを備えた撮像装置であって、前記複数の映像信号生成手段は、解像度の異なる複数の映像信号を出力可能であって、前記状態取得手段により記録媒体が取り外されたことが検出された場合、あるいは記録媒体が装着されていないことが検出された場合に、前記選択手段は最大の解像度の映像信号を生成する映像信号生成手段を選択することを特徴とする。
また、本発明の撮像装置のその他の特徴とするところは、映像を撮像する撮像手段と、前記撮像手段で撮像された映像から映像信号を生成する映像信号生成手段と、前記映像信号生成手段により生成された映像信号を圧縮する映像圧縮手段と、前記映像圧縮手段により圧縮された映像信号を記録する記録媒体と、前記映像圧縮手段により圧縮された映像信号を前記記録媒体に記録する記録手段と、前記記録媒体の装着状態を取得する状態取得手段とを備えた撮像装置であって、前記映像圧縮手段は、解像度の異なる複数の圧縮された映像信号を出力可能であって、前記状態取得手段から記録媒体が取り外されたこと、あるいは記録媒体が装着されていないことが検出された場合には、最大の解像度の映像信号を出力することを特徴とする。
また、本発明の撮像装置のその他の特徴とするところは、映像を撮像する撮像手段と、前記撮像手段で撮像された映像から映像信号を生成する映像信号生成手段と、前記映像信号を異なるフォーマットで圧縮する複数の映像圧縮手段と、前記複数の映像圧縮手段のうちから一つの映像圧縮手段を選択する選択手段と、前記複数の映像圧縮手段により圧縮された映像信号を記録する記録媒体と、前記選択手段で選択された映像圧縮手段から出力された映像信号を前記記録媒体に記録する記録手段と、前記記録媒体の装着状態を取得する状態取得手段とを備えた撮像装置であって、前記複数の映像圧縮手段は、解像度の異なる複数の映像信号を出力可能であって、前記選択手段は、前記状態取得手段から記録媒体が取り外されたこと、あるいは記録媒体が装着されていないことが検出された場合には、最大の解像度の映像信号を出力する映像圧縮手段を選択することを特徴とする。
【００１３】
本発明の撮像装置の制御方法は、撮像手段で生成された映像信号を記録媒体に記録する記録モードとして、高精細画像信号を記録するＨＤ記録モードと標準解像度画像信号を記録するＳＤ記録モードとを備える撮像装置の制御方法であって、前記記録媒体が取り出された場合に、前記映像信号を前記記録媒体に記録する記録モードを前記ＨＤ記録モードに設定するＨＤモード設定工程を備えることを特徴とする。
また、本発明の撮像装置の制御方法の他の特徴とするところは、映像を撮像する撮像工程と、前記撮像工程において撮像された映像から映像信号を生成する映像信号生成工程と、前記映像信号生成工程において生成された映像信号を記録する記録媒体と、前記記録媒体に前記映像信号を記録する記録工程と、前記記録媒体の装着状態を取得する状態取得工程とを備えた撮像装置の制御方法であって、前記映像信号生成工程は、解像度の異なる複数の映像信号を生成可能であって、前記状態取得工程において記録媒体が取り外されたことが検出された場合、あるいは記録媒体が装着されていないことが検出された場合には、最大の解像度の映像信号を生成する状態とすることを特徴とする。
また、本発明の撮像装置の制御方法のその他の特徴とするところは、映像を撮像する撮像工程と、前記撮像工程において撮像された映像から映像信号を生成する複数の映像信号生成工程と、前記複数の映像信号生成工程のうちから一つの映像信号生成工程を選択する選択工程と、前記複数の映像信号生成工程において生成された映像信号を記録する記録媒体と、前記選択工程において選択された映像信号生成工程において生成した映像信号を前記記録媒体に記録する記録工程と、前記記録媒体の装着状態を取得する状態取得工程とを備えた撮像装置の制御方法であって、前記複数の映像信号生成工程は、解像度の異なる複数の映像信号を出力可能であって、前記状態取得工程において記録媒体が取り外されたことが検出された場合、あるいは記録媒体が装着されていないことが検出された場合に、前記選択工程は最大の解像度の映像信号を生成する映像信号生成工程を選択することを特徴とする。
また、本発明の撮像装置の制御方法のその他の特徴とするところは、映像を撮像する撮像工程と、前記撮像工程において撮像された映像から映像信号を生成する映像信号生成工程と、前記映像信号生成工程において生成された映像信号を圧縮する映像圧縮工程と、前記映像圧縮工程において圧縮された映像信号を記録する記録媒体と、前記映像圧縮工程において圧縮された映像信号を前記記録媒体に記録する記録工程と、前記記録媒体の装着状態を取得する状態取得工程とを備えた撮像装置の制御方法であって、前記映像圧縮工程は、解像度の異なる複数の圧縮された映像信号を出力可能であって、前記状態取得工程において記録媒体が取り外されたこと、あるいは記録媒体が装着されていないことが検出された場合には、最大の解像度の映像信号を出力することを特徴とする。
また、本発明の撮像装置の制御方法のその他の特徴とするところは、映像を撮像する撮像工程と、前記撮像工程において撮像された映像から映像信号を生成する映像信号生成工程と、前記映像信号を異なるフォーマットで圧縮する複数の映像圧縮工程と、前記複数の映像圧縮工程のうちから一つの映像圧縮工程を選択する選択工程と、前記複数の映像圧縮工程において圧縮された映像信号を記録する記録媒体と、前記選択工程において選択された映像圧縮工程から出力された映像信号を前記記録媒体に記録する記録工程と、前記記録媒体の装着状態を取得する状態取得工程とを備えた撮像装置の制御方法であって、前記複数の映像圧縮工程は、解像度の異なる複数の映像信号を出力可能であって、前記選択工程は、前記状態取得工程において記録媒体が取り外されたこと、あるいは記録媒体が装着されていないことが検出された場合には、最大の解像度の映像信号を出力する映像圧縮工程を選択することを特徴とする。
【００１４】
本発明のプログラムは、撮像手段で生成された映像信号を記録媒体に記録する記録モードとして、高精細画像信号を記録するＨＤ記録モードと標準解像度画像信号を記録するＳＤ記録モードとを備える撮像装置における制御工程をコンピュータに実行させるプログラムであって、前記記録媒体が取り出された場合に、前記映像信号を前記記録媒体に記録する記録モードを前記ＨＤ記録モードに設定するＨＤモード設定工程をコンピュータに実行させることを特徴とする。
また、本発明のプログラムの他の特徴とするところは、映像を撮像する撮像工程と、前記撮像工程において撮像された映像から映像信号を生成する映像信号生成工程と、前記映像信号生成工程において生成された映像信号を記録する記録媒体と、前記記録媒体に前記映像信号を記録する記録工程と、前記記録媒体の装着状態を取得する状態取得工程とをコンピュータに実行させるプログラムであって、前記映像信号生成工程は、解像度の異なる複数の映像信号を生成可能であって、前記状態取得工程において記録媒体が取り外されたことが検出された場合、あるいは記録媒体が装着されていないことが検出された場合には、最大の解像度の映像信号を生成する状態とする工程をコンピュータに実行させることを特徴とする。
また、本発明のプログラムのその他の特徴とするところは、映像を撮像する撮像工程と、前記撮像工程において撮像された映像から映像信号を生成する複数の映像信号生成工程と、前記複数の映像信号生成工程のうちから一つの映像信号生成工程を選択する選択工程と、前記複数の映像信号生成工程において生成された映像信号を記録する記録媒体と、前記選択工程において選択された映像信号生成工程において生成した映像信号を前記記録媒体に記録する記録工程と、前記記録媒体の装着状態を取得する状態取得工程とをコンピュータに実行させるプログラムであって、前記複数の映像信号生成工程は、解像度の異なる複数の映像信号を出力可能であって、前記状態取得工程において記録媒体が取り外されたことが検出された場合、あるいは記録媒体が装着されていないことが検出された場合に、前記選択工程は最大の解像度の映像信号を生成する映像信号生成工程を選択する工程をコンピュータに実行させることを特徴とする。
また、本発明のプログラムのその他の特徴とするところは、映像を撮像する撮像工程と、前記撮像工程において撮像された映像から映像信号を生成する映像信号生成工程と、前記映像信号生成工程において生成された映像信号を圧縮する映像圧縮工程と、前記映像圧縮工程において圧縮された映像信号を記録する記録媒体と、前記映像圧縮工程において圧縮された映像信号を前記記録媒体に記録する記録工程と、前記記録媒体の装着状態を取得する状態取得工程とをコンピュータに実行させるプログラムであって、前記映像圧縮工程は、解像度の異なる複数の圧縮された映像信号を出力可能であって、前記状態取得工程において記録媒体が取り外されたこと、あるいは記録媒体が装着されていないことが検出された場合には、最大の解像度の映像信号を出力する工程をコンピュータに実行させることを特徴とする。
また、本発明のプログラムのその他の特徴とするところは、映像を撮像する撮像工程と、前記撮像工程において撮像された映像から映像信号を生成する映像信号生成工程と、前記映像信号を異なるフォーマットで圧縮する複数の映像圧縮工程と、前記複数の映像圧縮工程のうちから一つの映像圧縮工程を選択する選択工程と、前記複数の映像圧縮工程において圧縮された映像信号を記録する記録媒体と、前記選択工程において選択された映像圧縮工程から出力された映像信号を前記記録媒体に記録する記録工程と、前記記録媒体の装着状態を取得する状態取得工程とをコンピュータに実行させるプログラムであって、前記複数の映像圧縮工程は、解像度の異なる複数の映像信号を出力可能であって、前記選択工程は、前記状態取得工程において記録媒体が取り外されたこと、あるいは記録媒体が装着されていないことが検出された場合には、最大の解像度の映像信号を出力する映像圧縮工程を選択する工程とをコンピュータに実行させることを特徴とする。
【発明の効果】
【００１５】
本発明によれば、複数のフォーマットで記録可能な記録媒体に映像信号の記録を行う場合に、ユーザによって不用意な切替操作が行われるのを防止することが可能となり、ＨＤ記録を速やかに開始することができる。
【発明を実施するための最良の形態】
【００１６】
以下、図面を参照しながら本発明の実施形態を説明する。
図１は、光学ディスクを記録媒体とするディスクカムコーダ（撮像装置）の構成例を表したブロックである。図１において１０１はレンズ、１０２は固体撮像素子であるＣＣＤ（Charge Coupled Device）である。
【００１７】
また、１０３は撮像から映像信号を生成する映像信号生成手段として機能する映像信号処理回路である。１０４は、映像信号処理回路１０３によって生成された映像信号を表示装置あるいは出力端子へ出力する映像表示出力回路、１０５は映像出力端子、１０６は映像表示装置であるＬＣＤ（Liquid Crystal Display）である。さらに、１０７は映像信号の圧縮方式を切り替える切替回路、１０８は第１の映像信号圧縮回路、１０９は第２の映像信号圧縮回路である。
【００１８】
すなわち、本実施形態のディスクカムコーダは、映像信号処理回路１０３によって生成された映像信号を圧縮する映像圧縮手段として、２つの圧縮回路１０８、１０９を備えている。これにより、解像度の異なる複数圧縮の圧縮された映像信号を出力可能となっている。
【００１９】
また、１１０は圧縮された映像信号を記録媒体へ記録する記録回路、１１１は本実施形態で使用する記録媒体である光学ディスク、１１２はメニュー画面操作キー、１１３はディスクカムコーダのシステム制御を行うマイクロコンピュータ（マイコン）である。また、１１４は光学ディスク１１１を所定のフォーマットで初期化する初期化回路、１１５は光学ディスク１１１の検出、情報を取得する記録媒体検出回路である。
【００２０】
前述のように構成された本実施形態のディスクカムコーダにおいては、レンズ１０１で結像した光学像はＣＣＤ１０２で光電変換され撮像信号となる。撮像信号は、映像信号処理回路１０３で映像信号に変換される。
【００２１】
また、映像信号処理回路１０３は、マイクロコンピュータ１１３からの指示に従い、ディスクカムコーダの状態表示や各種設定を行うためのメニュー画面及び警告画面の表示用にＯＳＤ（On Screen Display）の信号生成も行う。
【００２２】
映像信号は、映像表示出力回路１０４と切替回路１０７へ出力される。映像信号は、映像表示出力回路１０４で外部出力信号となり、映像出力端子１０５を介して外部出力される。さらに、映像表示出力回路１０４はＬＣＤ１０６で映像表示を行うための制御も行う。
【００２３】
一方で、映像信号は切替回路１０７にも入力される。切替回路１０７はマイクロコンピュータ１１３からの指示に従い、入力した映像信号を第１の映像信号圧縮回路１０８と第２の映像信号圧縮回路１０９のいずれか一方に出力する。第１の映像信号圧縮回路１０８と第２の映像信号圧縮回路１０９は異なる圧縮方式で映像信号を圧縮する。
【００２４】
第１の映像信号圧縮回路１０８の圧縮方式はＭＰＥＧ４−ＡＶＣ（Ｈ．２６４）方式であり、高精細（ＨＤ）映像信号の圧縮を行う。また、第２の映像信号圧縮回路１０９の圧縮方式はＭＰＥＧ２方式で、標準解像度（ＳＤ）映像信号の圧縮を行う。
【００２５】
本実施形態において、映像信号処理回路１０３から出力される映像信号はＨＤ映像信号に対応した信号である。第２の映像信号圧縮回路１０９は、信号の圧縮前にこのＨＤ映像信号の解像度を低下させ、ＳＤ映像信号へ変換（ダウンコンバート）するダウンコンバート回路１０９ａ、及びダウンコンバートされた信号を圧縮する圧縮回路１０９ｂを含んでいる。前述のように、本実施形態のディスクカムコーダは、解像度の異なる複数の映像信号を生成可能に構成されている。
【００２６】
第１の映像信号圧縮回路１０８または第２の映像信号圧縮回路１０９において圧縮された映像信号（圧縮映像）は、記録回路１１０によって光学ディスク１１１に記録される。記録回路１１０は、映像信号を所定の記録用データに変換する。変換されたデータは、ピックアップ部（不図示）を介してレーザー光で記録される。
【００２７】
その際に、光学ディスク１１１を回転するスピンドルモーターとピックアップ部を駆動するトラッキングモーターの駆動制御を行うモータードライバ制御も記録回路１１０が行う。なお、スピンドルモーター、トラッキングモーター、モータードライバはいずれも不図示としている。
【００２８】
光学ディスク１１１は、記録時には記録層に照射されたレーザー光に応じた情報を記録する。一方、再生時には記録層へ照射されたレーザー光の反射光をピックアップ部（不図示）で検出して情報を取り出す（光学ディスク１１１の構造は不図示）。
【００２９】
記録媒体検出回路１１５は、光学ディスク１１１のディスク情報を読み取り、マイクロコンピュータ１１３へ出力する。マイクロコンピュータ１１３は、その結果から光学ディスク１１１が装着されているか否かを判断する。また、光学ディスク１１１が装着されている場合には、その光学ディスク１１１がフォーマット済みか否かを判断する。さらに、光学ディスク１１１がフォーマット済みであれば、フォーマットの種類は何かを判断し、これら各種のディスク情報を取得する。
【００３０】
初期化回路１１４は、光学ディスク１１１をフォーマットするために予め設定された初期化データを記録回路１１０に出力する。記録回路１１０は、予め設定された初期化データを光学ディスク１１１に記録し、フォーマットを行う。フォーマットの種別の指示はマイクロコンピュータ１１３から初期化回路１１４に対して行われ、種別に応じて異なるフォーマットが実行される。
【００３１】
メニュー画面操作キー１１２は、映像出力端子１０５あるいはＬＣＤ１０６にＯＳＤ表示されたメニュー画面を操作し、項目の選択、決定を行うための入力キーである。キーの操作情報はマイクロコンピュータ１１３へ入力される。メニュー画面はＧＵＩ（Graphical USER Interface）で構成され、キー操作だけでユーザが容易に操作できるようになっている。
【００３２】
マイクロコンピュータ１１３は、ディスクカムコーダのシステム制御を行うためのコンピュータであり、制御コードや制御データからなるＲＯＭと各種情報を一時的に記憶するためのＲＡＭを備えている（ＲＯＭ、ＲＡＭの構成は不図示）。そして、メニュー画面操作キー１１２の操作に応じてメニュー画面の表示制御を行い、ＯＳＤデータを生成する。
【００３３】
マイクロコンピュータ１１３によって生成されたＯＳＤデータは、映像信号処理回路１０３へ送られ、メニュー画面が描画される。また、マイクロコンピュータ１１３は、操作キー１１２の操作により、ＳＤ信号の記録モードと、ＨＤ信号の記録モードのいずれかに切り替える指示を切替回路１０７へ出力する。さらには、初期化回路１１４を制御して光学ディスク１１１のフォーマット処理の制御も行う。
【００３４】
前述のように構成された本実施形態のディスクカムコーダにおいて、光学ディスク１１１が取り出された場合の動作について、最初に説明する。本実施形態において、光ディスク１１１は、不図示の装着、排出用の機構により、ユーザが容易に、装着、排出可能である。図２は、光学ディスク１１１を取り出した時のマイクロコンピュータ１１３の動作例を示すフローチャートである。
【００３５】
図２に示したように、ステップＳ２０１では、動画記録か静止画記録のどちらの動作モードかを判断する。この判断の結果、静止画記録の動作モードであれば、そのまま終了する。また動画記録の動作モードであればステップＳ２０２に進む。
【００３６】
ステップＳ２０２では、記録媒体検出回路１１５から得られたディスク情報から、光学ディスク１１１が取り出されたか否かを判断する。この判断は、記録媒体の装着状態を取得する状態取得手段（マイクロコンピュータ１１３により構成される）により行われる。該状態取得手段の判断の結果、光学ディスク１１１が取り出されていなければそのまま終了し、取り出しを検出したと判断すればステップＳ２０３へ進む。
【００３７】
ステップＳ２０３では、現在の記録モードがＨＤまたはＳＤのいずれの記録モードであるかを取得して判断する。この判断の結果、現在ＨＤモードであれば、記録モードの切替は行わないためそのまま終了する。一方、判断の結果がＳＤモードであれば、記録モードの切替処理を行うためにステップＳ２０４へ進む。
【００３８】
ステップＳ２０４では、記録モードをＳＤモードからＨＤモードへ切り替える、ＨＤ記録モード切替処理を行う。ＨＤ記録モード切替処理は、マイクロコンピュータ１１３から切替回路１０７に対して、ＨＤ映像信号を圧縮するための圧縮回路として第１の映像信号圧縮回路１０８を選択するように指示する。
【００３９】
前述の処理を行うことにより、光学ディスク１１１の取り出し時にＨＤ記録モードであれば、ＨＤ記録モードを維持する。一方、ＳＤ記録モードであった場合はＨＤ記録モードにカムコーダの動作を自動的に切り替えることができるようになる。
【００４０】
次に、未フォーマットの光学ディスク（ブランクディスク）、ＨＤ記録用フォーマット済み光学ディスク（ＨＤ追記ディスク）、ＳＤ用フォーマット済み光学ディスク（ＳＤ追記ディスク）が本実施形態のディスクカムコーダに装着された場合について説明する。光学ディスクが装着されると、マイクロコンピュータ１１３は図３のフローチャートのように動作し、図４に示すメニュー及び警告画面を表示する。
【００４１】
本実施形態のディスクカムコーダにブランクディスクが装着されると、まず、ステップＳ３０１において記録媒体検出回路１１５から得られたディスク情報からディスクが装着されたか否かを検出する。この検出の結果、ディスクが装着されていれば、ステップＳ３０２へ進む。また、ディスクが装着されていなければ、装着されるまで待機する。
【００４２】
ステップＳ３０２では、取得したディスク情報から取り付けられたディスクの種類を判別する。この判別の結果、装着されたディスクがＨＤ追記ディスクであった場合はステップＳ３０４へ進む。また、ＳＤ追記ディスクであった場合にはステップＳ３０５へ進む。さらに、装着されたディスクがブランクディスクであった場合にはステップＳ３０３へ進む。
【００４３】
ステップＳ３０３では、ブランクディスクに対して、ＨＤ記録用のフォーマット処理を行う。その際に、マイクロコンピュータ１１３からの指示で初期化回路１１４からＨＤ記録用フォーマットデータが記録回路１１０を介してブランクディスクに書き込まれる。これにより、最大の解像度の映像信号を記録するためのフォーマットで前記光学ディスクの初期化が行われる。ブランクディスクのフォーマット処理が終了するとステップＳ３０４へ進む。
【００４４】
また、ステップＳ３０５では、映像信号処理回路１０３を介して映像出力端子１０５、ＬＣＤ１０６に対し、記録モードをＳＤへ切り替えるための画面の表示を行う（図４ａ）。ユーザは、メニュー画面操作キー１１２の操作により、ＳＤ記録に切り替えるか否かを選択する。ユーザの選択結果に応じて選択情報が生成される。そして、選択情報が生成されればステップＳ３０６へ進む。
【００４５】
ステップＳ３０６では、ステップＳ３０５で生成されたユーザの選択結果である選択情報から、記録モードとしてＨＤ記録モードを維持するかＳＤ記録モードへの切替を行うかを取得する。ＨＤ記録モードを維持する場合は、ステップＳ３０７へ進む。ＳＤ記録モードへ切り替わる場合は、ステップＳ３０８へ進む。
【００４６】
ステップＳ３０７では、映像信号処理回路１０３を介して映像出力端子１０５、ＬＣＤ１０６に対し、ＳＤ追記ディスクへはＨＤ記録ができない旨を警告するための警告表示処理を行う（図４ｂ）。ユーザの操作あるいは一定時間表示を行った後は警告表示を終了し、ステップＳ３０４へ進む。
【００４７】
また、ステップＳ３０８では、ＳＤ記録用のフォーマット処理を行う。その際、マイクロコンピュータ１１３からの指示で初期化回路１１４からＳＤ記録用フォーマットデータが記録回路１１０を介してディスクに書き込まれる。フォーマット処理が終了するとステップＳ３０９へ進む。
【００４８】
ステップＳ３０９では、記録モードをＨＤからＳＤへ切り替えるための、ＳＤ記録モード切替処理を行う。ＳＤ記録モード切替処理は、マイクロコンピュータ１１３から切替回路１０７に対し、ＳＤの映像信号の出力と映像信号の圧縮回路としてＳＤ用の第２の映像信号圧縮回路１０９を選択する指示を出力する。切替処理が終了するとステップＳ３０４へ進む。
【００４９】
ステップＳ３０４は、録画動作の待機処理である。ユーザが記録開始キー（不図示）を操作すると、指定の記録モードでディスクへの映像、音声記録を開始する。ただし、本体の記録モードとディスクのフォーマットから判断される記録モードとが異なる場合は記録を禁止する。
【００５０】
前述の処理により、ディスク取り出しでＨＤ記録モードとなった後、ＨＤ追記ディスクが装着された場合は、そのままＨＤ記録モードの記録待機状態となる。また、ブランクディスクが装着された場合は、ＨＤ記録のディスクフォーマットを自動的に実行し、記録待機状態となる。これらの種類のディスク装着に関しては、ユーザが記録モードやフォーマット実行のための操作を何もすることなく、待機状態まで自動的に処理を実行できる。
【００５１】
一方、ＳＤ追記ディスクが装着された場合は、ユーザに対してディスクフォーマットと記録モードの不一致を知らしめる警告表示を行い、モード切替を促すメニュー表示を実行する。
【００５２】
これらの結果、ディスクの入れ替えの際に、高品位なＨＤ記録モードの記録の可能なディスクであればユーザが設定操作を行わなくても記録が可能であり、不要なモード切替操作による誤動作や不適切な動作設定となることを防ぐことができる。
【００５３】
なお、本実施形態では、記録する画像信号として、高精細画像信号と標準解像度画像信号の二つの画像信号のうちの一方を選択する構成について説明した。
これ以外にも、三種類以上の解像度の画像信号を選択的に記録可能な装置に対しても本発明を適用可能である。その場合、記録媒体の取り出し指示に応じて、最も解像度が高い画像信号の記録モードに設定するよう構成する。
【００５４】
（本発明に係る他の実施形態）
前述した本発明の実施形態における撮像装置を構成する各手段、並びに撮像装置の制御方法の各ステップは、コンピュータのＲＡＭやＲＯＭなどに記憶されたプログラムが動作することによって実現できる。このプログラム及び前記プログラムを記録したコンピュータ読み取り可能な記憶媒体は本発明に含まれる。
【００５５】
また、本発明は、例えば、システム、装置、方法、プログラムもしくは記憶媒体等としての実施形態も可能である。具体的には、複数の機器から構成されるシステムに適用してもよいし、また、一つの機器からなる装置に適用してもよい。
【００５６】
なお、本発明は、前述した実施形態の機能を実現するソフトウェアのプログラム（実施形態では図２、図３に示すフローチャートに対応したプログラム）を、システムあるいは装置に直接されてもよい。あるいは遠隔から供給し、そのシステムあるいは装置のコンピュータが前記供給されたプログラムコードを読み出して実行することによっても達成される場合を含む。
【００５７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５８】
その場合、プログラムの機能を有していれば、オブジェクトコード、インタプリタにより実行されるプログラム、ＯＳに供給するスクリプトデータ等の形態であってもよい。
【００５９】
プログラムを供給するための記憶媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ，ＤＶＤ−Ｒ）なども含む。
【００６０】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記憶媒体にダウンロードすることによっても供給できる。
【００６１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６３】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００６４】
さらに、記憶媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６５】
【図１】本発明の実施形態におけるディスクカムコーダの構成を表すブロック図である。
【図２】本発明の実施形態におけるディスクの取り出し時の動作例を示すフローチャートである。
【図３】本発明の実施形態におけるディスクの装着時の動作を示すフローチャートである。
【図４】本発明の実施形態におけるＳＤ追記ディスク装着時の警告表示の一例を示す図である。
【符号の説明】
【００６６】
１０１  レンズ
１０２  ＣＣＤ
１０３  映像信号処理回路
１０４  映像表示出力回路
１０５  映像出力端子
１０６  ＬＣＤ
１０７  切替回路
１０８  第１の映像信号圧縮回路
１０９  第２の映像信号圧縮回路
１１０  記録回路
１１１  光学ディスク
１１２  メニュー画面操作キー
１１３  マイクロコンピュータ
１１４  初期化回路
１１５  記録媒体検出回路
【図１】
2008160188.tif 000003
【図２】
2008160188.tif 000004
【図３】
2008160188.tif 000005
【図４】
2008160188.tif 000006